【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
撮影の開始を指示するレリーズボタンと、
前記撮影のための本発光動作および前記本発光動作の発光量を決定するための予備発光動作を行う発光部と、
撮影光路内に進入し撮影光束をファインダに導く第１の位置と、前記撮影光路から退避した第２の位置との間を移動可能なミラーと、
前記ミラーを駆動するミラー駆動部材と、
モータと、
前記ミラー駆動部材に前記モータからの駆動力を伝達するカム部を有するミラーカム部材と、を備える撮像装置であって、
前記撮像装置は、前記モータが前記ミラーカム部材を第１の方向に回転させることによって、前記ミラーは第１の速度で前記第１の位置から前記第２の位置に移動する第１のミラー駆動モードと、前記モータが前記ミラーカム部材を前記第１の方向とは反対方向となる第２の方向に回転させることによって、前記ミラーは前記第１の速度より遅い第２の速度で前記第１の位置から前記第２の位置に移動する第２のミラー駆動モードにて動作することができるものであって、
前記発光部は、前記レリーズボタンによって前記撮影の開始が指示されると、前記撮像装置が前記第１のミラー駆動モードにて動作する際には前記ミラーカム部材が回転を開始するまでに前記予備発光動作を開始し、前記撮像装置が前記第２のミラー駆動モードにて動作する際には前記ミラーカム部材が回転を開始した後に前記予備発光動作を開始することを特徴とする撮像装置。
【請求項２】
前記モータを制御する制御部を更に有し、
前記ミラーカム部材が前記第１の方向に回転することによって前記ミラーを前記第２の位置から前記第１の位置に移動させた後、前記制御部は、前記ミラーカム部材を減速させるための予備ブレーキ区間、前記ミラーカム部材を停止させるための本ブレーキ区間の順に前記モータを制御し、
前記撮像装置が前記第２のミラー駆動モードにて動作する際には、前記ミラーカム部材が前記本ブレーキ区間を通過し、前記予備ブレーキ区間に達したときに前記予備発光動作を開始することを特徴とする請求項１に記載の撮像装置。
【請求項３】
前記ミラーが前記第１の位置にあるときに、前記予備発光動作による被写体の反射光により被写体輝度の測定を行う測光部を更に有し、
前記撮像装置が前記第２のミラー駆動モードにて動作する際には、前記レリーズボタンによって前記撮影の開始が指示された後、前記ミラーカム部材が前記予備ブレーキ区間を通過するまでの前記ミラーカム部材の回転速度は、前記予備ブレーキ区間を通過する時間が前記測光手段による測定時間よりも長くなる第１の回転速度であることを特徴とする請求項２に記載の撮像装置。
【請求項４】
前記撮像装置が前記第２のミラー駆動モードにて動作する際における前記予備ブレーキ区間の通過後の前記ミラーカム部材の回転速度は、前記第１の回転速度以上であって、前記撮像装置が前記第１のミラー駆動モードにて動作する際における回転速度よりも遅い第２の回転速度であることを特徴とする請求項２または３に記載の撮像装置。
【請求項５】
前記撮像装置が前記第２のミラー駆動モードにて動作する際における前記ミラーカム部材の回転速度は、ＰＷＭ制御により制御されることを特徴とする請求項１〜４のいずれか１項に記載の撮像装置。
【請求項６】
請求項１から５のいずれか１項に記載の撮像装置と、
前記撮像装置と着脱可能な撮影レンズと、を有することを特徴とする撮像システム。
【手続補正２】
【補正対象書類名】明細書
【補正対象項目名】０００６
【補正方法】変更
【補正の内容】
【０００６】
特許文献１には、ミラーアップ動作の際、モータを第１の方向に動作させてミラーを駆動する機構と、第１の方向とは反対方向となる第２の方向に動作させてミラーを駆動する機構を備えた撮像装置が開示されている。このとき、モータを第２の方向に動作させる場合には、モータを第１の方向に動作させる場合よりミラーの駆動速度を遅くすることで、ミラーアップ時の衝突音を軽減している。すなわち、モータを第１の方向に動作させる通常撮影モードと、モータを第２の方向に動作させる静音撮影モードを切り替えることで、ミラーの動作速度が変更可能な撮像装置となっている。
【手続補正３】
【補正対象書類名】明細書
【補正対象項目名】００１１
【補正方法】変更
【補正の内容】
【００１１】
本発明の一側面としての撮像装置は、撮影の開始を指示するレリーズボタンと、前記撮影のための本発光動作および前記本発光動作の発光量を決定するための予備発光動作を行う発光部と、撮影光路内に進入し撮影光束をファインダに導く第１の位置と、前記撮影光路から退避した第２の位置との間を移動可能なミラーと、前記ミラーを駆動するミラー駆動部材と、モータと、前記ミラー駆動部材に前記モータからの駆動力を伝達するカム部を有するミラーカム部材と、を備える撮像装置であって、前記撮像装置は、前記モータが前記ミラーカム部材を第１の方向に回転させることによって、前記ミラーは第１の速度で前記第１の位置から前記第２の位置に移動する第１のミラー駆動モードと、前記モータが前記ミラーカム部材を前記第１の方向とは反対方向となる第２の方向に回転させることによって、前記ミラーは前記第１の速度より遅い第２の速度で前記第１の位置から前記第２の位置に移動する第２のミラー駆動モードにて動作することができるものであって、前記発光部は、前記レリーズボタンによって前記撮影の開始が指示されると、前記撮像装置が前記第１のミラー駆動モードにて動作する際には前記ミラーカム部材が回転を開始するまでに前記予備発光動作を開始し、前記撮像装置が前記第２のミラー駆動モードにて動作する際には前記ミラーカム部材が回転を開始した後に前記予備発光動作を開始することを特徴とする。
【手続補正４】
【補正対象書類名】明細書
【補正対象項目名】００４３
【補正方法】変更
【補正の内容】
【００４３】
ミラーカムギア（ミラーカム部材）２２は、ミラーボックス８の側面に配置され、モータ４７から減速ギア４８を介して軸部８ａを中心に回転する。なお、モータ４７は、振動型モータやリニアモータのような特殊なモータではなく、一般的な直流モータである。モータ４７への通電はシステム制御部５３を介してミラー制御部６１により制御される。
【手続補正５】
【補正対象書類名】明細書
【補正対象項目名】００５１
【補正方法】変更
【補正の内容】
【００５１】
ミラーアップバネ３９の付勢力によりカムフォロワー３６ａがミラーカムギアのカムトップ部２２ａと当接することで、ミラー駆動レバー３６の反時計回りの回転が阻止されている。
【手続補正６】
【補正対象書類名】明細書
【補正対象項目名】００８２
【補正方法】変更
【補正の内容】
【００８２】
さらに、モータ４７への通電を継続し、減速ギア４８を介してミラーカムギア２２を回転させ、ミラーダウン位置到達状態に遷移する。
９：ミラーダウン位置到達状態
図４（ｉ）は、ミラーダウン位置到達時のミラー駆動機構の各構成部品の状態を示している。
【手続補正７】
【補正対象書類名】明細書
【補正対象項目名】００９３
【補正方法】変更
【補正の内容】
【００９３】
レリーズボタン２による撮影指示動作の開始により、モータ４７に通電し、減速ギア４８を介してミラーカムギア２２をミラーボックス８の軸部８ａを中心に時計回り（第２の方向）に回転させ、「１２：予備発光動作開始の状態」に遷移する。すなわち、静音撮影モードでは、通常撮影モードにおけるミラーカムギア２２の回転方向と反対方向に回転させる。